(57)【特許請求の範囲】
【請求項１】
所定の画像情報を表示するモニタの本体と、
前記本体の内部または外部いずれかに設置して前記本体内で発生する水平同期周波数及びフリーラン周波数によるノイズ成分を抽出して前記ノイズ成分を打ち消す消音信号を生成するノイズ消音回路部と、
前記本体の内部または外部いずれかに配置して前記モニタの画像情報に応じた音声情報を出力するとともに、前記ノイズ消音回路部に接続して前記消音信号による消音情報を放出して前記ノイズ成分によるノイズ音を打ち消すスピーカとを設けたことを特徴とする映像ディスプレイモニタ。
【請求項２】
請求項１に記載の映像ディスプレイモニタにおいて、
前記ノイズ消音回路部は、前記スピーカを前記本体の内部または外部いずれかに予め固定する場合、前記スピーカに送信する前記消音信号を前記本体内のノイズ成分に合わせて生成できるように製造時（工場出荷時）の調整を可能にしたことを特徴とする映像ディスプレイモニタ。
【請求項３】
請求項１に記載の映像ディスプレイモニタにおいて、
前記ノイズ消音回路部は、前記スピーカを前記本体の外部に取り外し可能に設ける場合、前記ノイズ成分の移相振幅状態を前記スピーカの取り付け位置に応じて検出比較する位相振幅比較部と、この位相振幅比較部の検出情報に従って前記ノイズ音を良好に打ち消す前記消音信号の生成を制御するマイコンとからなる自動調整部を更に設けることを特徴とする映像ディスプレイモニタ。
【請求項４】
請求項１乃至３のいずれかに記載の映像ディスプレイモニタにおいて、
前記ノイズ消音回路部は、前記本体内で発生するノイズ成分を抽出し、このノイズ成分の水平同期周波数またはフリーラン周波数のいずれかに対して移相反転させた逆位相信号を生成する移相部と、この移相部の逆位相信号を受けて所定のレベルに振幅させた前記消音信号を生成する可変減衰部とからなることを特徴とする映像ディスプレイモニタ。
【請求項５】
請求項１乃至４のいずれかに記載の映像ディスプレイモニタにおいて、
前記ノイズ消音回路部には、前記スピーカに前記消音信号を送信する際に増幅部を更に介して送信することを特徴とする映像ディスプレイモニタ。
【請求項６】
請求項１乃至５のいずれかに記載の映像ディスプレイモニタにおいて、
前記本体は、パソコン、テレビ等に用いるＣＲＴ型のディスプレイであることを特徴とする映像ディスプレイモニタ。
【請求項７】
請求項６に記載の映像ディスプレイモニタにおいて、
前記本体では、前記ノイズ消音回路部をＣＲＴ型のブラウン管またはフライバックトランス等の高電圧部に接続して前記ノイズ成分を抽出することを特徴とする映像ディスプレイモニタ。
【請求項８】
請求項１乃至７のいずれかに記載の映像ディスプレイモニタにおいて、
前記スピーカは、前記画像情報を映し出す前記本体の前面側に配置し、この映し出す方向に向かって前記消音情報を出力するように設けたことを特徴とする映像ディスプレイモニタ。
【請求項９】
請求項８に記載の映像ディスプレイモニタにおいて、
前記本体の前面に配置したスピーカは、前記前面での映り込み、紫外線、電界などの防止を目的とする光学フィルタに圧電素子を取り付けた圧電スピーカ、または透明な透明板に圧電素子を取り付けた圧電スピーカのいずれかであることを特徴とする映像ディスプレイモニタ。
【発明の詳細な説明】
【０００１】
【発明の属する技術分野】
本発明は、映像ディスプレイモニタに関する。
【０００２】
【従来の技術】
従来、映像ディスプレイモニタとしては、例えば、ＮＴＳＣやＰＡＬなどの画像情報を表示するパソコン、テレビ等のＣＲＴ型ディスプレイに採用したものがよく知られている。この従来の映像ディスプレイモニタは、モニタの本体内に画像情報を表示するためのブラウン管、フライバックトランス等の高電圧部を備えるとともに、この高電圧部の近傍にスピーカを配置して画像情報とともに音声情報を出力する構造を備えている。図４は、このような従来の映像ディスプレイモニタの外観を示す外観図である。図５は、図４に示した従来の映像ディスプレイモニタの内部構造を示す構成図である。
【０００３】
図４に示すように、従来の映像ディスプレイモニタは、ＮＴＳＣやＰＡＬなどの画像情報を表示するモニタの本体２１を備え、この本体２１内に収納して前面２１ａにブラウン管２６を露出させて配置するとともに、この前面２１ａまたは側面２１ｂいずれかに画像情報に応じて音声情報を出力するスピーカ２４（ダイナミック型スピーカ：コーンスピーカ）を配置している。また、従来の映像ディスプレイモニタは、図５に示すように、本体２１内のブラウン管２６に電子線を発射させるために印加する高電圧の制御を行うフライバックトランス２８を備えている。
【０００４】
このような従来の映像ディスプレイモニタは、本体２１内のフライバックトランス２８により高電圧を制御することで、ブラウン管２６に電子線を発射させてＮＴＳＣやＰＡＬなどの所定の画像情報を表示する。また、本体２１内では、これと同時にスピーカ２４が起動して画像情報に応じた音声情報を出力する。このように従来の映像ディスプレイモニタでは、本体２１内に収納したブラウン管２６及びフライバックトランス２８の高電圧部により画像情報を表示し、これと同時に本体２１内のスピーカ２４が起動して音声情報を出力していた。
【０００５】
【発明が解決しようとする課題】
しかしながら、従来の映像ディスプレイモニタでは、図５に示したように、ブラウン管２６にＮＴＳＣやＰＡＬなどの映像情報を表示させた場合に主としてフライバックトランス２８から水平同期周波数である１５〜１６ｋＨｚのノイズ成分が発生するとともに、画像情報の表示がない場合でもこれに近い同期系のフリーラン周波数を発生し、これら周波数は可聴帯域であるためノイズ音として耳障りになるという不具合があった。
【０００６】
また、従来の映像ディスプレイモニタでは、前述したように映像情報の表示に伴ってノイズ音が発生するため、図４に示したスピーカ２４の設置条件（前面２１ａ、側面２１ｂ等の位置）によって音響効果に悪影響を与えてしまうとともに、特に、本体２１の側面２１ｂのようにフライバックトランス２８に近接した場合、スピーカ２４を防磁型にして音響効果の悪影響を軽減しなければならず、コストがかかり大型化してしまうという不具合があった。
本発明はこのような課題を解決し、簡単な構造で映像情報の表示により発生したノイズ音を打ち消して音響効果の悪影響を軽減する低コストの映像ディスプレイモニタを提供することを目的とする。
【０００７】
【課題を解決するための手段】
本発明は上述の課題を解決するために、所定の画像情報を表示するモニタの本体と、この本体の内部または外部いずれかに設置して本体内で発生する水平同期周波数及びフリーラン周波数によるノイズ成分を抽出してノイズ成分を打ち消す消音信号を生成するノイズ消音回路部と、本体の内部または外部いずれかに配置してモニタの画像情報に応じた音声情報を出力するとともにノイズ消音回路部に接続して消音信号による消音情報を放出してノイズ成分によるノイズ音を打ち消すスピーカとを設ける。
【０００８】
ここで、ノイズ消音回路部は、スピーカを本体の内部または外部いずれかに予め固定する場合、スピーカに送信する消音信号を本体内のノイズ成分に合わせて生成できるように製造時の調整を可能にすることが好ましい。また、ノイズ消音回路部の他の実施例は、スピーカを本体の外部に取り外し可能に設ける場合、ノイズ成分の移相振幅状態をスピーカの取り付け位置に応じて比較検出する位相振幅比較部と、この位相振幅比較部の検出情報に従ってノイズ音を良好に打ち消す消音信号の生成を制御するマイコンとからなる自動調整部を更に設けることが好ましい。また、ノイズ消音回路部は、本体内で発生するノイズ成分を抽出し、このノイズ成分の水平同期周波数またはフリーラン周波数のいずれかに対して移相反転させた逆位相信号を生成する移相部と、この移相部の逆位相信号を受けて所定のレベルに振幅させた消音信号を生成する可変減衰部とからなることが好ましい。また、ノイズ消音回路部には、スピーカに消音信号を送信する際に増幅部を更に介して送信することが好ましい。
【０００９】
また、本体は、パソコン、テレビ等に用いるＣＲＴ型のディスプレイであることが好ましい。また、本体では、ノイズ消音回路部をＣＲＴ型のブラウン管またはフライバックトランス等の高電圧部に接続してノイズ成分を抽出することが好ましい。また、スピーカは、画像情報を映し出す本体の前面側に配置し、この映し出す方向に向かって消音情報を出力するように設けたことが好ましい。また、本体の前面に配置したスピーカは、前面での映り込み、紫外線、電界などの防止を目的とする光学フィルタに圧電素子を取り付けた圧電スピーカ、または透明な透明板に圧電素子を取り付けた圧電スピーカのいずれかであることが好ましい。
【００１０】
【発明の実施の形態】
次に、添付図面を参照して本発明による映像ディスプレイモニタの実施の形態を詳細に説明する。図１は、本発明による映像ディスプレイモニタの一実施形態を示す図である。また、図２は、図１に示した映像ディスプレイモニタの内部構造を示す構成図である。また、図３は、本発明による映像ディスプレイモニタの他の実施形態を示す図である。
【００１１】
図１に示すように、本発明による映像ディスプレイモニタの一実施形態は、図４に示した従来技術と同様に、ＮＴＳＣやＰＡＬなどの画像情報を表示するモニタの本体１を備え、この本体１内に収納して前面１ａに露出するようにブラウン管６を配置し、本体１内のブラウン管６に電子線を発射させる高電圧の印加を制御するフライバックトランス８（図２参照）を備えている。また、本発明による映像ディスプレイモニタの一実施形態は、図４に示した従来技術とは異なり、本体１の外部に設置して本体１内の水平同期周波数及びフリーラン周波数等によるノイズ成分を抽出してこれを打ち消す消音信号を生成するノイズ消音回路部２と、この本体１の前面１ａに固定してブラウン管６の画像情報に応じた音声情報を出力するとともにノイズ消音回路部２に接続して消音信号による消音情報を放出してノイズ音を打ち消すスピーカ４とを備えている。
【００１２】
ここで、スピーカ４は、耳障りなノイズ音を放出する主なポジションである本体１の前面１ａに固定し、ブラウン管６に写し出す画像情報に応じた音声情報を出力するとともに、この画像情報を映し出す方向に向かって消音情報を同時に放出するように設けている。このスピーカ４は、本体１の前面１ａに固定するアクリルなどの透明な透明板４ａと、この透明板４ａに取り付けて電圧を印加して駆動させる圧電素子４ｂとを備えた圧電スピーカである。この際、このスピーカ４は、本体１内の前面１ａにサイズ、デザインなどの色々な制約がない場合、図４に示した従来技術のようにダイナミック型スピーカ（コーンスピーカ）を用いることも可能である。また、スピーカ４は、本体１内にサイズ、デザインなどの色々な制約がない場合、内部に内蔵することも可能である。
【００１３】
一方、ノイズ消音回路部２は、図１に示したモニタ本体１の外側に取り付けてあり、本体１に後付けする構造を備えている。このノイズ消音回路部２は、本体１内にサイズ、デザインなどの色々な制約がなければ、内部に内蔵することも可能である。このノイズ消音回路部２は、図２に示すように、ブラウン管６及びフライバックトランス８などの高電圧部に接続し、この高電圧部の画像出力時に発生する水平同期周波数（１５〜１６ｋＨｚ）と、画像情報の表示がない際に発生する同期系のフリーラン周波数とによるノイズ成分を抽出するように形成している。
【００１４】
また、ノイズ消音回路部２は、本体１内で発生するノイズ成分を抽出してこのノイズ成分に対して移相反転させた逆位相信号を生成する移相部２ａと、この移相部２ａの逆位相信号を受けて所定のレベルに振幅させた消音信号を生成する可変減衰部２ｂとを備えている。また、ノイズ消音回路部２ｂは、ノイズ成分を使用者（視聴者）の視聴位置で効果的に打ち消すため、本体１内のノイズ発生位置とスピーカ４の固定位置とに応じて消音信号を生成するように、製造時（工場出荷時）に調整する構造を備えている。また、ノイズ消音回路部２には、透明板４ａと圧電素子４ｂとからなるスピーカ４に消音信号を送信する際、消音信号を更に音響として再生できるように増幅部２ｃで増幅して送信している。
【００１５】
このように形成した本発明による映像ディスプレイモニタの一実施形態は、図２に示したように、本体１内のフライバックトランス８により高電圧を制御することで、ブラウン管６に電子線を発射させてＮＴＳＣやＰＡＬなどの所定の画像情報を表示する。この際、本体１内では、これと同時にスピーカ４が起動して画像情報に応じた音声情報を出力する。また、本体１内では、ノイズ消音回路部２がブラウン管６やフライバックトランス８などの高電圧部からノイズ成分を抽出して移相部２ａに送信する。この移相部２ａでは、本体１内の高電圧部から抽出したノイズ成分に対して位相反転させた逆位相信号を生成して可変減衰部２ｂに送信する。
【００１６】
そして、この可変減衰部２ｂでは、移相部２ａからの逆位相信号を受けて所定のレベルに振幅させた消音信号を生成する。その後、ノイズ消音回路部２は、可変減衰部２ｂの消音信号を増幅部２ｃにより増幅してスピーカ４に送ることで、スピーカ４から音声情報とともに消音信号による消音情報を放出させる。これにより本実施の形態では、本体１内でブラウン管６やフライバックトランス８などの高電圧部からノイズ成分によるノイズ音が発生しても、本体１の前面に配置したスピーカ４で放出する消音情報により打ち消されて耳障りなノイズ音が相殺される。
【００１７】
このように、本発明による映像ディスプレイモニタの一実施形態によると、本体１の前面１ａに配置したスピーカ４により消音情報を放出してノイズ音を打ち消す構造を備えているため、視聴位置での可聴帯域の周波数である耳障りなノイズ音を効果的に相殺でき、快適な視聴を提供することができる。
【００１８】
また、本発明による映像ディスプレイモニタの一実施形態によると、前述したように本体１の前面１ａにスピーカ４を配置する構造のため、本体１内のブラウン管６やフライバックトランス８などの高電圧部に近接することなく、設置条件により音響効果が受ける悪影響を軽減でき、且つ、低コストで簡単な構造によりノイズ音を打ち消すことが可能になる。
【００１９】
次に、図３を参照して、本発明による映像ディスプレイモニタの他の実施形態を詳細に説明する。図３に示すように、本発明による映像ディスプレイモニタの他の実施形態は、図１に示した映像ディスプレイモニタと同様に、画像情報を表示するモニタの本体１１を設け、この本体１１内に画像情報を表示するブラウン管１６及びフライバックトランス１８等の高電圧部を備え、本体１１の外側前面１１ａに画像情報に応じた音声情報とノイズ音を打ち消す消音情報とを放出するスピーカ１４を配置し、このスピーカ１４に消音信号を供給するノイズ消音回路部１２を接続している。
【００２０】
ここで、スピーカ１４は、図１に示したスピーカとは異なり、本体１１の前面１１ａで映り込み、紫外線、電界などの防止を目的とし、主に、パソコン用として用いられる透明な光学フィルタ１４ａ（モニタ用フィルター：後付けのタイプ）を配置し、この光学フィルタ１４ａに圧電素子１４ｂを取り付けた構造を備えている。従って、スピーカ１４は、図示されていないが、使用者により本体１１の前面１１ａに自由に着脱できるように形成されている。
【００２１】
一方、ノイズ消音回路部１２は、図２に示したノイズ消音回路部とは異なり、移相部１２ａ、可変減衰部１２ｂ、増幅部１２ｃを備え、この移相部１２ａ及び可変減衰部１２ｂに各々接続する自動調整部１３を備えている。この自動調整部１３は、本体１１の前面１１ａに着脱するスピーカ１４の取り付け位置に応じて、本体１１内で発生するノイズ成分の移相振幅状態を検出比較し、この検出情報に従ってノイズ成分を打ち消す消音信号を生成するように調整している。従って、ノイズ消音回路部１２は、スピーカ１４の取り付け位置が変わっても、そのスピーカ１４の位置に応じた消音信号を生成できるように形成している。
【００２２】
ここで、自動調整部１３は、本体１１内で発生するノイズ成分の移相振幅状態をスピーカ１４の取り付け位置に応じて検出比較する位相振幅比較部１３ｂと、この位相振幅比較部１３ｂの情報に従って移相部１２ａ及び可変減衰部１２ｂを制御してノイズ成分を打ち消す消音信号を生成するマイコン１３ａとを備えている。ここで、ノイズ消音回路部１２は、スピーカ１４と同様に、本体１１内にサイズ、デザインなどの色々な制約がない場合、内部に内蔵することも可能である。
【００２３】
このように形成した本発明による映像ディスプレイモニタの他の実施形態は、本体１１内のフライバックトランス１８により高電圧を制御し、ブラウン管１６に電子線を発射させてＮＴＳＣやＰＡＬなどの所定の画像情報を表示する。この際、本体１１の前面１１ａでは、画像情報の表示とともにスピーカ１４が起動して画像情報に応じた音声情報を出力する。また、ノイズ消音回路部１２の自動調整部１３では、位相振幅比較部１３ｂが本体１１内のブラウン管１６やフライバックトランス１８などの高電圧部、及びスピーカ１４を取り付けた位置から各々ノイズ成分の移相振幅状態を抽出して比較し、その結果をマイコン１３ａに送信する。従って、位相振幅比較部１３ｂは、圧電素子１４ｂを圧電センサとして動作させ、ノイズ成分の移相振幅状態を抽出する。
【００２４】
その後、マイコン１３ａでは、位相振幅比較部１３ｂからの情報に基づいて移相部１２ａ及び可変減衰部１２ｂを制御し、スピーカ１４の取り付け位置に応じた消音信号を生成する。この際、ノイズ消音回路部１２では、移相部１２ａが移相反転した逆位相信号を生成するとともに、可変減衰部１２ｂが移相部１２ａからの逆位相信号を振幅調整して消音信号を生成する。また、ノイズ消音回路部１２では、増幅部１２ｃが消音信号を増幅してスピーカ１４に送信することで、スピーカ１２からノイズ成分を打ち消す消音情報を放出させる。これにより、本体１１内の高電圧部から発生するノイズ成分は、本体１１の前面１１ａに配置したスピーカ１４から放出する消音情報により良好に打ち消されて耳障りなノイズ音が相殺される。
【００２５】
このように、本発明による映像ディスプレイモニタの他の実施形態は、本体１１の前面１１ａに配置したスピーカ１４により消音情報を放出してノイズ音を相殺する構造のため、図１に示した映像ディスプレイモニタと同様の効果を得ることができるとともに、ノイズ消音回路部１２に自動調整部１３を設けることで光学フィルタ１４ａからなるスピーカ１４を使用者が自由に着脱することが可能になり配置スペース、デザインなどの制約が低減される。
【００２６】
以上、本発明による映像ディスプレイモニタの実施の形態を詳細に説明したが、本発明は前述した実施の形態に限定されるものではなく、その要旨を逸脱しない範囲で変更可能である。
例えば、本体の前面に透明板からなるスピーカを配置した映像ディスプレイモニタの実施形態を説明したが、これに限定されるものではなく、本体内のブラウン管及びフライバックトランスなどの高電圧部に悪影響を受けず、ノイズ成分を効果的に打ち消す位置であれば自由に配置することが可能である。
【００２７】
【発明の効果】
このように本発明による映像ディスプレイモニタによれば、簡単な構造で映像情報の表示により発生したノイズ音を打ち消して音響効果の悪影響を軽減する低コストの映像ディスプレイモニタを提供することができる。
【図面の簡単な説明】
【図１】本発明による映像ディスプレイモニタの一実施形態を示す図。
【図２】図１に示した映像ディスプレイモニタの内部構造を示す構成図。
【図３】本発明による映像ディスプレイモニタの他の実施形態を示す図。
【図４】従来の映像ディスプレイモニタの外観を示す外観図。
【図５】図４に示した従来の映像ディスプレイモニタの内部構造を示す構成図。
【符号の説明】
１    本体
１ａ  前面
２    ノイズ消音回路部
２ａ  移相部
２ｂ  可変減衰部
２ｃ  増幅部
４    スピーカ
４ａ  透明板
４ｂ  圧電素子
６    ブラウン管
８    フライバックトランス
【図１】
0003798678.tif 000002
【図２】
0003798678.tif 000003
【図３】
0003798678.tif 000004
【図４】
0003798678.tif 000005
【図５】
0003798678.tif 000006